(57)【特許請求の範囲】
【請求項１】
天井面等に固定する本体から吊下紐で掛具を吊り下げ、操作紐を操作することによって掛具を昇降することができる吊掛装置において、本体には、横方向に移動可能で一方向に付勢具で付勢されているスライダーを設けると共に、スライダーの横方向の移動を規制する保持具を設けて成り、保持具には、過荷重の警告をする報知具を一体的に設けると共に、横方向に間隔をおいて複数の係止部を設け、一体となった保持具と報知具は伸縮可能な伸縮具を介して本体に取り付けられており、スライダーには、吊下紐を取り付けると共に、保持具の係止部に係止可能で操作紐を取り付けられた係合具を設け、操作紐を操作することによって係合具を係止部のいずれかに選択的に係止させて、掛具の高さ位置を調整することができるようにして成り、係合具が係止部に係止された状態で、掛具に荷重がかかると、吊下紐が取り付けられたスライダーに設けられた係合具を介して、一体となった保持具と報知具に荷重がかかるように構成し、掛具に瞬間的な大きな衝撃荷重がかかった時には、伸縮具が伸長又は縮小して緩衝すると共に、掛具に一定以上の荷重をかけた時には、伸縮具が伸長又は縮小して報知具によって過荷重の警告をすることを特徴とする吊掛装置。
【発明の詳細な説明】
【技術分野】
【０００１】
本発明は、天井面等に固定する本体から吊下紐で掛具をその高さ位置を調整可能に取り付けて、その掛具に洗濯物や衣類等を掛けたり、物干具を吊り下げたりして使用する吊掛装置に関するものである。
【背景技術】
【０００２】
従来より、特開２００５−１７７３０号発明のように、天井面に取り付ける本体からワイヤで竿部を昇降する昇降装置が提案されており、これは、本体に昇降するための装置であるリールを内蔵し、竿部に伸縮部材を内蔵して、竿部に一定以上の荷重がかかると、この伸縮部材が伸長してこれに接続されているワイヤが竿部から引き出されて警告表示するものである。
【特許文献１】特開２００５−１７７３０号公報
【発明の開示】
【発明が解決しようとする課題】
【０００３】
上記従来例においては、竿部を昇降するための装置と過荷重の警告表示するための装置を別々に設けてあるので、不経済であるし、全体が大型化してしまうという問題があり、本発明は、この問題を解決することを課題としている。
【課題を解決するための手段】
【０００４】
本発明は、上記の課題を解決するために、天井面等に固定する本体から吊下紐で掛具を吊り下げ、操作紐を操作することによって掛具を昇降することができる吊掛装置において、本体には、横方向に移動可能で一方向に付勢具で付勢されているスライダーを設けると共に、スライダーの横方向の移動を規制する保持具を設けて成り、保持具には、過荷重の警告をする報知具を一体的に設けると共に、横方向に間隔をおいて複数の係止部を設け、一体となった保持具と報知具は伸縮可能な伸縮具を介して本体に取り付けられており、スライダーには、吊下紐を取り付けると共に、保持具の係止部に係止可能で操作紐を取り付けられた係合具を設け、操作紐を操作することによって係合具を係止部のいずれかに選択的に係止させて、掛具の高さ位置を調整することができるようにして成り、係合具が係止部に係止された状態で、掛具に荷重がかかると、吊下紐が取り付けられたスライダーに設けられた係合具を介して、一体となった保持具と報知具に荷重がかかるように構成し、掛具に瞬間的な大きな衝撃荷重がかかった時には、伸縮具が伸長又は縮小して緩衝すると共に、掛具に一定以上の荷重をかけた時には、伸縮具が伸長又は縮小して報知具によって過荷重の警告をするように構成したものである。
【発明の効果】
【０００５】
本発明は、上記のように構成されており、竿部を昇降するための保持具と過荷重の警告をするための報知具を一体的に設けたので、コストダウンと装置の小型化を達成することができるという効果がある。
【実施例】
【０００６】
天井面等に固定される本体１は、細長い略箱状で掛具６を昇降するための装置等を内蔵し、下方に開口して掛具６を半分ほど収納する収納用溝３０を設けてあり、天井面に固定するものである。本体１の両端部からは吊下紐４・５を垂下し、それぞれの端部に掛具６を取り付けてあり、さらに、一方の吊下紐５より端部寄りに操作紐７を垂下してある。
【０００７】
本体１の内部には、断面略Ｌ字状で細長く本体１のほぼ全長に亘る保持具２を、後述するように、伸縮具１２によって一方向に付勢して収納されている。保持具２の平面板部には、ほぼ全長に亘って略長方形状孔である係止部３１・・・３１を多数設けてある。また、保持具２の一端部（左端部）近傍で本体１の幅方向中央部には、保持具２の垂直面板部の外面に断面略Ｌ字状で短い報知具１１を、保持具２と背中合わせになるように固定してある。
【０００８】
報知具１１の平面板部の外面（下面）には、所定間隔をおいて注意表示部１４・１５・１６及び警告表示部１７・１８・１９を設けてある。注意表示部１４・１５・１６は、例えば赤色に着色され、その幅寸法（横方向寸法）を相異させており、幅寸法の大きい順番に注意表示部１４、注意表示部１５、注意表示部１６となっている。これらに続く警告表示部１７・１８・１９は、例えば黄色と黒色の斜め縞模様に着色され、その幅寸法は全て同じである。これらの注意表示部１４・１５・１６及び警告表示部１７・１８・１９が後述する表示孔２０・２１・２２から露出して、掛具６に一定以上の荷重がかかったことを警告することになる。
【０００９】
さらに、報知具１１には、平面板部の内面（上面）にベル２４を、垂直面板部の内面に打具２５を設けてあり、打具２５はコイルばねである揺動部２５ａで垂直に立設されその上部に磁性体である打撃部２５ｂを設けてある。
【００１０】
また、報知具１１のさらに端部側には、一方の吊下紐４を案内する２個の滑車を有する取付具２８を本体に固定してある。この取付具２８には、摺動具２７を本体１の中で一定範囲内で横方向（長手方向）に摺動自在に取り付け、その先端に磁石である係脱具２６を固定してあり、この係脱具２６は、通常は打具２５の打撃部２５ｂと磁着している。上記したベル２４、打具２５及び係脱具２６で、掛具６に一定以上の荷重がかかったことを警告する音警告部２３を構成している。
【００１１】
さらに、本体１の横方向及び奥行き方向の略中央部に、断面倒コ字状の固定具１３を本体１に固定して設けてある。この固定具１３は報知具１１と間隔をおいて対向しており、その間に圧縮ばねである伸縮具１２を設けて、伸縮具１２によって報知具１１を離間する方向に付勢しており、その結果報知具１１と固定されて一体化している保持具２をも付勢している。
【００１２】
本体１の一側壁と保持具２で形成される細長い空間を、取付面である天井面と略平行に横方向に摺動可能にスライダー３を設けてあり、このスライダー３は一端部（左端部）に設けられた定荷重ばね（コンストンバネ）である付勢具９によって左方向に常時引っ張られている。スライダー３には、吊下紐４・５を取り付けると共、係合具８を回動可能に取り付けてあり、係合具８には操作紐７を取り付けてある。
【００１３】
係合具８は、戻しばね１０で先端のフック８ａが係合具８の外方（係合具８から突出する方向）に付勢されており、フック８ａは、保持具２の係止部３１・・・３１のいずれかに係止されるようになっている。操作紐７を引っ張ると、戻しばね１０に抗して係合具８は回動し、フック８ａが係止されている係止部３１から外れるようになっている。
【００１４】
本体１の収納用溝３０の底面には、報知具１１に対応するところに３つの縦長状の表示孔２０・２１・２２を等間隔に設けてある。通常つまり掛具６に荷重がかかっていない状態では、表示孔２０・２１・２２には、注意表示部１４・１５・１６も警告表示部１７・１８・１９も露出していない。
【００１５】
本体１の他端部（右端部）には、一方（左側）の吊下紐４がかかっている滑車が取り付けられている調整具２９を設けてあり、本体１の端部から露出する調整ねじ３２を回動して調整具２９の横方向の位置を移動させて、一方の吊下紐４の吊下長さを変更して、掛具６の水平状態を調整することができるようになっている。
【００１６】
保持具２の他端部（右端部）には、垂直に折り曲げて立ち上がる変形部３３を設け、さらにその外方（右方）には間隔をおいて当接部３４を本体１に固定して設けてある。
【００１７】
次に動作説明をする。
操作紐７を引っ張ると、戻しばね１０に抗して係合具８は回動し、フック８ａが係止部３１から外れ、さらに引っ張ると、スライダー３が付勢具９に抗して右方向に移動し、スライダー３に取り付けられている吊下紐４・５も移動して本体１の両端から繰り出されて掛具６が下降する。
【００１８】
掛具６が適当な高さまで下がったら、操作紐７を離すと、スライダー３が付勢具９の力で左方向に移動しようとし、同時に戻しばね１０の力により係合具８が回動して、左側直近の係止部３１に係止され、スライダー３が停止して、掛具６は停止し、洗濯物や物干具等を掛けられる使用可能状態となる。操作紐７を操作して、係合具８が係止される係止部３１・・・３１を変更すると、掛具６の高さ位置を調整することができるようなっている。
【００１９】
掛具６に荷重がかかっていない状態（図８の状態）から、掛具６に洗濯物や物干具等を掛けて荷重がかかると、吊下紐４・５からスライダー３、そしてスライダー３に取り付けられている係合具８を介して保持具２に荷重がかかり、保持具２は伸縮具１２に抗して右方向に移動し（スライダー３も付勢具９に抗して右方向に移動する）、保持具２に固定されている報知具１１も一緒に右方向に移動することになる。
【００２０】
すると、まず左端の表示孔２０から左端の注意表示部１４が露出して注意を促す共に打具２５に磁着している摺動具２７が少し右方向に移動し（図９の状態）、さらに荷重がかかると、左端の表示孔２０に加え中央の表示孔２１からも中央の注意表示部１５が露出して注意を促すと共に打具２５に磁着している摺動具２７がさらに右方向に移動し（図１０の状態）、次に左端の表示孔２０及び中央の表示孔２１に加え右端の表示孔２２からも右端の注意表示部１６が露出すると共に摺動具２７が移動できなくなって打具２５が傾き（図１１の状態）、３つ全ての表示孔２０・２１・２２から３つの注意表示部１４・１５・１６が露出して表示された状態となり、この時点で設定荷重に到達したことを使用者に報知して警告する。上述のようにこの状態までは、音警告部２３の打具２５の打撃部２５ｂは、揺動部２５ａが真っ直ぐ又は傾いた状態で係脱具２６に磁着している。
【００２１】
さらにこの状態から掛具６に荷重がかかると、表示孔２０・２１・２２から警告表示部１７・１８・１９が露出して警告し、加えて音警告部２３の打具２５の打撃部２５ｂが係脱具２６から離れ、揺動部２５ａの復元力により、打具２５の打撃部２５ｂがベル２４を叩き音を発し（図１２の状態）、視覚による注意・警告に加え、聴覚による警告を発することができる。
【００２２】
以上のように、伸縮具１２が伸長又は縮小することによって、報知具１１に設けられた注意表示部１４・１５・１６及び警告表示部１７・１８・１９並びに打具２５及びベル２４が、掛具６に過荷重がかかったことを警告をするように構成してある。
【００２３】
なお本発明は、視覚による表示か聴覚（音）による表示のどちらか一方だけでもよいし、その構造についても、掛具６に一定以上の荷重がかかった時に、伸縮１２具が伸長又は縮小して報知具１１によって過荷重の警告をすることができるものであれば、本実施例に限定されるものではない。
【００２４】
しかし、本実施例のように、過荷重の警告装置は、注意表示部１４・１５・１６及び警告表示部１７・１８・１９の視覚による表示をし、その後打具２５及びベル２４の聴覚（音）による表示をするようにすると、使用者が注意表示部１４・１５・１６及び警告表示部１７・１８・１９を見落としていても、その後に聴覚（音）による表示により注意を喚起することができ、使用者に確実に過荷重の警告をすることができるという効果がある。
【００２５】
さらにまた、上記状態から掛具６に荷重がかかると、保持具２は右方に移動し右端部の変形部３３が当接部３４に当接し、さらに荷重がかかると変形部３３が変形し（図１３の状態）、荷重がなくなって保持具２が元の位置に戻っても変形はそのまま残り、過度の荷重がかかった痕跡を残し、故障の原因究明に役立てることができる。なお、変形部３３が変形した後、変形部３３が当接部３４に引っ掛かって、保持具２を元の位置に戻さずに、使用不能状態にすることもできる。
【図面の簡単な説明】
【００２６】
【図１】使用状態を示す全体正面図である。
【図２】図１のＡ−Ａ線拡大断面図である。
【図３】本体の内部機構を示す平面図である。
【図４】図２のＢ−Ｂ線拡大断面図（本体の内部機構を示す正面図）である。
【図５】報知具周辺の本体の内部機構を示す平面図である。
【図６】スライダー周辺の本体の内部機構を示す正面図（図５とほぼ同じ位置を示している）であり、係合具が係止孔に係止されている状態である。
【図７】報知具周辺の本体の内部機構を示す底面図である。（本体は省略してある。）
【図８】〜
【図１２】報知具周辺の本体の内部機構及び本体の表示孔の表示状態を示す底面図であり、掛具に荷重がかかっていない状態から徐々に荷重を大きくしていく過程を示すものである。（本体は表示孔が設けられている部分だけを描いている。）
【図１３】変形部及び当接部周辺の本体の内部機構を示す平面図であり、図１２の状態からさらに掛具への荷重を大きくした状態を示すものである。
【図１４】図１３と同じ状態を示す本体の内部機構を示す正面図である。
【図１５】スライダー周辺の本体の内部機構を示す正面図であり、操作紐を引いて係合具が係止孔から外れた状態を示すものである。
【図１６】要部の本体の内部機構を示す分解斜視図である。
【符号の説明】
【００２７】
１    本体
２    保持具
３    スライダー
４    吊下紐
５    吊下紐
６    掛具
９    付勢具
１２    伸縮具
１４    注意表示部
１５    注意表示部
１６    注意表示部
１７    警告表示部
１８    警告表示部
１９    警告表示部
２０    表示孔
２１    表示孔
２２    表示孔
２３    音警告部
２４    ベル
２５    打具
２６    係脱具
３１    係止部
【図１】
0004684276.tif 000002
【図２】
0004684276.tif 000003
【図３】
0004684276.tif 000004
【図４】
0004684276.tif 000005
【図５】
0004684276.tif 000006
【図６】
0004684276.tif 000007
【図７】
0004684276.tif 000008
【図８】
0004684276.tif 000009
【図９】
0004684276.tif 000010
【図１０】
0004684276.tif 000011
【図１１】
0004684276.tif 000012
【図１２】
0004684276.tif 000013
【図１３】
0004684276.tif 000014
【図１４】
0004684276.tif 000015
【図１５】
0004684276.tif 000016
【図１６】
0004684276.tif 000017